(57)【要約】【課題】  データ送信装置側でフォーマット変換処理があった場合に生じ得る、データ記録装置側のデータ記録動作の不備を回避する。【解決手段】  記録再生装置１（２０１）は、記録媒体２０４に記録されるデータについて所定のフォーマットと異なる他のフォーマットを検知した場合、前記他のフォーマットのデータを前記所定のフォーマットに変換し、記録再生装置２０２に対して送信する。また記録再生装置１（２０１）は、このフォーマット変換処理を行っている期間中、データの記録動作を停止させるためのコマンド情報を記録再生装置２（２０２）に対して送信する。【選択図】  図２
2007049459.tif 000002
【特許請求の範囲】
【請求項１】
第１の記録媒体にデータを記録させるデータ記録装置と伝送路を介して接続されるデータ送信装置であって、
第１の記録フォーマットの第１の情報データと第２の記録フォーマットの第２の情報データとが記録された第２の記録媒体より情報データを読み取る読取手段と、
前記読取手段により読み取られた情報データの記録フォーマットの変更を検知する検知手段と、
前記検知手段の出力に応じて処理手順を切り替え、前記読取手段により読み取られた第１の情報データと第２の情報データを処理する処理手段と、
前記読取手段により前記第２の記録媒体から読み取られた情報データを前記データ記録装置に対して送信するデータ送信手段と、
前記検知手段の出力に応じて前記読取手段による前記情報データの読み取りを一時停止すると共に、前記情報データの記録動作を停止させるためのコマンド情報を前記データ記録装置に対して送信するよう前記データ送信手段を制御する制御手段とを有することを特徴とするデータ送信装置。
【請求項２】
前記制御手段は、前記検知手段の出力に伴う前記処理手段における処理手順の切り替えが完了したことに応じて、前記読取手段による前記情報データの読み取りを開始すると共に、前記情報データの記録動作を開始させるためのコマンド情報を前記データ記録装置に対して送信するよう前記データ送信手段を制御することを特徴とする請求項１記載のデータ送信装置。
【請求項３】
前記第２の記録媒体は磁気テープであり、前記制御手段は、前記検知手段の出力に応じて前記磁気テープの搬送を停止することを特徴とする請求項１記載のデータ送信装置。
【請求項４】
第１の記録媒体にデータを記録させるデータ記録装置と伝送路を介して接続されるデータ送信装置であって、
第１の記録フォーマットの第１の情報データと第２の記録フォーマットの第２の情報データとが記録された第２の記録媒体より情報データを読み取る読取手段と、
前記読取手段により読み取られた情報データの記録フォーマットの変更を検知する検知手段と、
前記検知手段の出力に応じて処理手順を切り替え、前記読取手段により読み取られた第１の情報データと第２の情報データを処理する処理手段と、
前記読取手段により前記第２の記録媒体から読み取られた情報データを前記データ記録装置に対して送信するデータ送信手段と、
前記検知手段の出力に応じて、前記情報データの記録動作を停止させるためのコマンド情報を前記データ記録装置に対して送信するよう前記データ送信手段を制御する制御手段とを有することを特徴とするデータ送信装置。
【請求項５】
第１の記録媒体にデータを記録させるデータ記録装置と伝送路を介して接続されるデータ送信装置であって、
第１の記録フォーマットの第１の情報データと第２の記録フォーマットの第２の情報データとが記録された第２の記録媒体より情報データを読み取る読取手段と、
前記読取手段により読み取られた情報データの記録フォーマットの変更を検知する検知手段と、
前記検知手段の出力に応じて処理手順を切り替え、前記読取手段により読み取られた第１の情報データと第２の情報データを処理する処理手段と、
前記読取手段により前記第２の記録媒体から読み取られた情報データを前記データ記録装置に対して送信するデータ送信手段と、
前記検知手段の出力に応じて前記読取手段による前記情報データの読み取りを一時停止すると共に、前記情報データに代えて所定のデータを前記データ記録装置に対して送信するよう前記データ送信手段を制御する制御手段とを有することを特徴とするデータ送信装置。
【請求項６】
前記所定のデータは、ＮＵＬＬデータ及び黒データのうちの少なくとも何れか一方を含むことを特徴とする請求項５に記載のデータ送信装置。
【請求項７】
前記制御手段は、前記検知手段の出力に伴う前記処理手段における処理手順の切り替えが完了したことに応じて、前記所定のデータに代えて前記読取手段により読み取られた情報データの送信を開始するよう前記データ送信手段を制御することを特徴とする請求項５に記載のデータ送信装置。
【請求項８】
前記第２の記録媒体は磁気テープであり、前記制御手段は、前記検知手段の出力に応じて前記磁気テープの搬送を停止することを特徴とする請求項５に記載のデータ送信装置。
【請求項９】
第１の記録媒体にデータを記録させるデータ記録装置と伝送路を介して接続されるデータ送信装置であって、
第１の記録フォーマットの第１の情報データと第２の記録フォーマットの第２の情報データとが記録された第２の記録媒体より情報データを読み取る読取手段と、
前記読取手段により読み取られた情報データの記録フォーマットの変更を検知する検知手段と、
前記検知手段の出力に応じて処理手順を切り替え、前記読取手段により読み取られた第１の情報データと第２の情報データを処理する処理手段と、
前記読取手段により前記第２の記録媒体から読み取られた情報データを前記データ記録装置に対して送信するデータ送信手段と、
前記検知手段の出力に応じて、前記情報データに代えて所定のデータを前記データ記録装置に対して送信するよう前記データ送信手段を制御する制御手段とを有することを特徴とするデータ送信装置。
【請求項１０】
第１の記録媒体にデータを記録させるデータ記録装置と伝送路を介して接続されるデータ送信装置の制御方法であって、
第１の記録フォーマットの第１の情報データと第２の記録フォーマットの第２の情報データとが記録された第２の記録媒体より情報データを読み取る読取ステップと、
前記読取ステップにより読み取られた情報データの記録フォーマットの変更を検知する検知ステップと、
前記検知ステップの出力に応じて処理手順を切り替え、前記読取ステップにより読み取られた第１の情報データと第２の情報データを処理する処理ステップと、
前記読取ステップにより前記第２の記録媒体から読み取られた情報データを前記データ記録装置に対して送信するデータ送信ステップとを含み、
前記検知ステップの出力に応じて前記読取ステップでの前記情報データの読み取りを一時停止すると共に、前記情報データの記録動作を停止させるためのコマンド情報を前記データ記録装置に対して送信するよう前記データ送信ステップを制御することを特徴とするデータ送信装置の制御方法。
【請求項１１】
第１の記録媒体にデータを記録させるデータ記録装置と伝送路を介して接続されるデータ送信装置の制御方法であって、
第１の記録フォーマットの第１の情報データと第２の記録フォーマットの第２の情報データとが記録された第２の記録媒体より情報データを読み取る読取ステップと、
前記読取ステップにより読み取られた情報データの記録フォーマットの変更を検知する検知ステップと、
前記検知ステップの出力に応じて処理手順を切り替え、前記読取ステップにより読み取られた第１の情報データと第２の情報データを処理する処理ステップと、
前記読取ステップにより前記第２の記録媒体から読み取られた情報データを前記データ記録装置に対して送信するデータ送信ステップとを含み、
前記検知ステップの出力に応じて、前記情報データの記録動作を停止させるためのコマンド情報を前記データ記録装置に対して送信するよう前記データ送信ステップを制御することを特徴とするデータ送信装置の制御方法。
【請求項１２】
第１の記録媒体にデータを記録させるデータ記録装置と伝送路を介して接続されるデータ送信装置の制御方法であって、
第１の記録フォーマットの第１の情報データと第２の記録フォーマットの第２の情報データとが記録された第２の記録媒体より情報データを読み取る読取ステップと、
前記読取ステップにより読み取られた情報データの記録フォーマットの変更を検知する検知ステップと、
前記検知ステップの出力に応じて処理手順を切り替え、前記読取ステップにより読み取られた第１の情報データと第２の情報データを処理する処理ステップと、
前記読取ステップにより前記第２の記録媒体から読み取られた情報データを前記データ記録装置に対して送信するデータ送信ステップとを含み、
前記検知ステップの出力に応じて前記読取ステップでの前記情報データの読み取りを一時停止すると共に、前記情報データに代えて所定のデータを前記データ記録装置に対して送信するよう前記データ送信ステップを制御することを特徴とするデータ送信装置の制御方法。
【請求項１３】
第１の記録媒体にデータを記録させるデータ記録装置と伝送路を介して接続されるデータ送信装置の制御方法であって、
第１の記録フォーマットの第１の情報データと第２の記録フォーマットの第２の情報データとが記録された第２の記録媒体より情報データを読み取る読取ステップと、
前記読取ステップにより読み取られた情報データの記録フォーマットの変更を検知する検知ステップと、
前記検知ステップの出力に応じて処理手順を切り替え、前記読取ステップにより読み取られた第１の情報データと第２の情報データを処理する処理ステップと、
前記読取ステップにより前記第２の記録媒体から読み取られた情報データを前記データ記録装置に対して送信するデータ送信ステップとを含み、
前記検知ステップの出力に応じて、前記情報データに代えて所定のデータを前記データ記録装置に対して送信するよう前記データ送信ステップを制御することを特徴とするデータ送信装置の制御方法。
【請求項１４】
請求項１０乃至１３の何れか１項に記載のデータ送信装置の制御方法をコンピュータに実行させるためのプログラム。
【請求項１５】
請求項１４に記載のプログラムを記録したコンピュータ読み取り可能な記録媒体。
【発明の詳細な説明】
【技術分野】
【０００１】
本発明は、複数フォーマットのデータのダビング処理を行い得る記録再生システムに適用可能なデータ送信装置及びその制御方法に関するものである。
【背景技術】
【０００２】
従来、画像信号をデジタル信号として磁気テープに記録再生するデジタルＶＴＲが知られている。また、近年では、従来の標準解像度（ＳＤ）画像ではなく、高精細（ＨＤ）画像を撮影し、ＭＰＥＧ方式で符号化して磁気テープに記録再生するデジタルＶＴＲも登場している（例えば、特許文献１参照）。
【０００３】
ＳＤ信号を記録する民生用のデジタルＶＴＲの規格として、ＤＶ方式が提案され、更に、ＨＤ信号を記録する民生用のデジタルＶＴＲの規格としてＨＤＶ方式が提案されている。ＨＤＶ方式では、ＤＶ方式と同様の磁気テープに対してＭＰＥＧ符号化した画像信号を記録再生する。
【０００４】
また、前述のビデオカメラにおいては、画像データを符号化された状態のまま外部に出力するためのデジタルＩ／Ｆを備えている。そこで、２台のビデオカメラをデジタルＩ／Ｆにて接続し、ダビングを行うことが可能となる。その際、再生側がＨＤＶ方式のビデオカメラで、記録側がＤＶ方式のビデオカメラの場合、信号の形式が異なるため、そのまま記録することができない。そのため、再生側であるＨＤＶのビデオカメラにおいてＭＰＥＧ方式のデータをＤＶ方式のデータに変換して送信することで、ダビングが可能となる。
【０００５】
【特許文献１】特開２００１−２７５０７７号公報
【発明の開示】
【発明が解決しようとする課題】
【０００６】
前述のように、ＨＤＶ方式ではＤＶ方式と同様の磁気テープを使用するため、ＤＶ方式とＨＤＶ方式の両方の方式でＳＤ画像とＨＤ画像を１本の磁気テープに記録するビデオカメラが登場している。このようなビデオカメラで撮影された画像を再生する場合、テープ上でＤＶ方式とＨＤＶ方式の境界部分においては、画像信号の記録方式を切り替えるために、再生画像が出力されなくなることが考えられる。
【０００７】
そのため、ＨＤＶ方式とＤＶ方式の画像データが混在して記録されているテープから再生された画像データを前述のデジタルＩ／Ｆを用いてダビングする場合、ダビング元のテープにおけるＤＶ方式とＨＤＶ方式の境界部分においては、信号方式の切り替えに伴って再生画像が得られなくなる。従って、信号方式を切り替えている間、記録側の装置には画像信号が送信されず、全く無意味なデータが記録されてしまうことになるといった問題がある。
【０００８】
そこで、本発明の目的は、データ送信装置側でフォーマット変換処理があった場合に生じ得る、データ記録装置側のデータ記録動作の不備を回避することにある。
【課題を解決するための手段】
【０００９】
本発明のデータ送信装置の第１の態様は、第１の記録媒体にデータを記録させるデータ記録装置と伝送路を介して接続されるデータ送信装置であって、第１の記録フォーマットの第１の情報データと第２の記録フォーマットの第２の情報データとが記録された第２の記録媒体より情報データを読み取る読取手段と、前記読取手段により読み取られた情報データの記録フォーマットの変更を検知する検知手段と、前記検知手段の出力に応じて処理手順を切り替え、前記読取手段により読み取られた第１の情報データと第２の情報データを処理する処理手段と、前記読取手段により前記第２の記録媒体から読み取られた情報データを前記データ記録装置に対して送信するデータ送信手段と、前記検知手段の出力に応じて前記読取手段による前記情報データの読み取りを一時停止すると共に、前記情報データの記録動作を停止させるためのコマンド情報を前記データ記録装置に対して送信するよう前記データ送信手段を制御する制御手段とを有することを特徴とする。
本発明のデータ送信装置の第２の態様は、第１の記録媒体にデータを記録させるデータ記録装置と伝送路を介して接続されるデータ送信装置であって、第１の記録フォーマットの第１の情報データと第２の記録フォーマットの第２の情報データとが記録された第２の記録媒体より情報データを読み取る読取手段と、前記読取手段により読み取られた情報データの記録フォーマットの変更を検知する検知手段と、前記検知手段の出力に応じて処理手順を切り替え、前記読取手段により読み取られた第１の情報データと第２の情報データを処理する処理手段と、前記読取手段により前記第２の記録媒体から読み取られた情報データを前記データ記録装置に対して送信するデータ送信手段と、前記検知手段の出力に応じて、前記情報データの記録動作を停止させるためのコマンド情報を前記データ記録装置に対して送信するよう前記データ送信手段を制御する制御手段とを有することを特徴とする。
本発明のデータ送信装置の第３の態様は、第１の記録媒体にデータを記録させるデータ記録装置と伝送路を介して接続されるデータ送信装置であって、第１の記録フォーマットの第１の情報データと第２の記録フォーマットの第２の情報データとが記録された第２の記録媒体より情報データを読み取る読取手段と、前記読取手段により読み取られた情報データの記録フォーマットの変更を検知する検知手段と、前記検知手段の出力に応じて処理手順を切り替え、前記読取手段により読み取られた第１の情報データと第２の情報データを処理する処理手段と、前記読取手段により前記第２の記録媒体から読み取られた情報データを前記データ記録装置に対して送信するデータ送信手段と、前記検知手段の出力に応じて前記読取手段による前記情報データの読み取りを一時停止すると共に、前記情報データに代えて所定のデータを前記データ記録装置に対して送信するよう前記データ送信手段を制御する制御手段とを有することを特徴とする。
本発明のデータ送信装置の第４の態様は、第１の記録媒体にデータを記録させるデータ記録装置と伝送路を介して接続されるデータ送信装置であって、第１の記録フォーマットの第１の情報データと第２の記録フォーマットの第２の情報データとが記録された第２の記録媒体より情報データを読み取る読取手段と、前記読取手段により読み取られた情報データの記録フォーマットの変更を検知する検知手段と、前記検知手段の出力に応じて処理手順を切り替え、前記読取手段により読み取られた第１の情報データと第２の情報データを処理する処理手段と、前記読取手段により前記第２の記録媒体から読み取られた情報データを前記データ記録装置に対して送信するデータ送信手段と、前記検知手段の出力に応じて、前記情報データに代えて所定のデータを前記データ記録装置に対して送信するよう前記データ送信手段を制御する制御手段とを有することを特徴とする。
本発明のデータ送信装置の制御方法の第１の態様は、第１の記録媒体にデータを記録させるデータ記録装置と伝送路を介して接続されるデータ送信装置の制御方法であって、第１の記録フォーマットの第１の情報データと第２の記録フォーマットの第２の情報データとが記録された第２の記録媒体より情報データを読み取る読取ステップと、前記読取ステップにより読み取られた情報データの記録フォーマットの変更を検知する検知ステップと、前記検知ステップの出力に応じて処理手順を切り替え、前記読取ステップにより読み取られた第１の情報データと第２の情報データを処理する処理ステップと、前記読取ステップにより前記第２の記録媒体から読み取られた情報データを前記データ記録装置に対して送信するデータ送信ステップとを含み、前記検知ステップの出力に応じて前記読取ステップでの前記情報データの読み取りを一時停止すると共に、前記情報データの記録動作を停止させるためのコマンド情報を前記データ記録装置に対して送信するよう前記データ送信ステップを制御することを特徴とする。
本発明のデータ送信装置の制御方法の第２の態様は、第１の記録媒体にデータを記録させるデータ記録装置と伝送路を介して接続されるデータ送信装置の制御方法であって、第１の記録フォーマットの第１の情報データと第２の記録フォーマットの第２の情報データとが記録された第２の記録媒体より情報データを読み取る読取ステップと、前記読取ステップにより読み取られた情報データの記録フォーマットの変更を検知する検知ステップと、前記検知ステップの出力に応じて処理手順を切り替え、前記読取ステップにより読み取られた第１の情報データと第２の情報データを処理する処理ステップと、前記読取ステップにより前記第２の記録媒体から読み取られた情報データを前記データ記録装置に対して送信するデータ送信ステップとを含み、前記検知ステップの出力に応じて、前記情報データの記録動作を停止させるためのコマンド情報を前記データ記録装置に対して送信するよう前記データ送信ステップを制御することを特徴とする。
本発明のデータ送信装置の制御方法の第３の態様は、第１の記録媒体にデータを記録させるデータ記録装置と伝送路を介して接続されるデータ送信装置の制御方法であって、第１の記録フォーマットの第１の情報データと第２の記録フォーマットの第２の情報データとが記録された第２の記録媒体より情報データを読み取る読取ステップと、前記読取ステップにより読み取られた情報データの記録フォーマットの変更を検知する検知ステップと、前記検知ステップの出力に応じて処理手順を切り替え、前記読取ステップにより読み取られた第１の情報データと第２の情報データを処理する処理ステップと、前記読取ステップにより前記第２の記録媒体から読み取られた情報データを前記データ記録装置に対して送信するデータ送信ステップとを含み、前記検知ステップの出力に応じて前記読取ステップでの前記情報データの読み取りを一時停止すると共に、前記情報データに代えて所定のデータを前記データ記録装置に対して送信するよう前記データ送信ステップを制御することを特徴とする。
本発明のデータ送信装置の制御方法の第４の態様は、第１の記録媒体にデータを記録させるデータ記録装置と伝送路を介して接続されるデータ送信装置の制御方法であって、第１の記録フォーマットの第１の情報データと第２の記録フォーマットの第２の情報データとが記録された第２の記録媒体より情報データを読み取る読取ステップと、前記読取ステップにより読み取られた情報データの記録フォーマットの変更を検知する検知ステップと、前記検知ステップの出力に応じて処理手順を切り替え、前記読取ステップにより読み取られた第１の情報データと第２の情報データを処理する処理ステップと、前記読取ステップにより前記第２の記録媒体から読み取られた情報データを前記データ記録装置に対して送信するデータ送信ステップとを含み、前記検知ステップの出力に応じて、前記情報データに代えて所定のデータを前記データ記録装置に対して送信するよう前記データ送信ステップを制御することを特徴とする。
本発明のプログラムは、前記データ送信装置の制御方法の第１乃至第４の態様をコンピュータに実行させることを特徴とする。
本発明のコンピュータ読み取り可能な記録媒体は、前記プログラムを記録したことを特徴とする。
【発明の効果】
【００１０】
本発明によれば、データ送信装置側でフォーマット変換を行っている期間中、データ記録装置側のデータ記録動作を停止させたり、データ記録装置に所定のデータを送るように構成したので、データ送信装置側でフォーマット変換処理があった場合でも、データ記録装置側のデータ記録動作に不備が生じてしまうことを回避することが可能となる。
【発明を実施するための最良の形態】
【００１１】
以下、本発明を適用した好適な実施形態を、添付図面を参照しながら詳細に説明する。
【００１２】
−第１の実施形態−
先ず、本発明の第１の実施形態について説明する。図１は、本発明の第１の実施形態に係る記録再生装置の構成を示すブロック図である。１０１はＵＰ／Ｄｏｗｎコンバータ、１０２はコーディック（CODEC）、１０３は１３９４コントローラ、１０４はＳＤＲＡＭ、１０５はメモリインタフェース部、１０６はトラックフォーマッタ部、１０７は圧縮伸長部、１０８はアイソクロナス（ISOCHROUNOUS）インタフェース部、１０９は記録再生部、１１０はＳＤフォーマットのデータとＨＤフォーマットのデータとが記録された磁気テープである。１１１は装置全体を制御する制御部である。制御部１１１は、記録再生部１０９により再生された画像データの記録フォーマットを判別し、その判別結果に従って装置の構成を後述の如く変更する。
【００１３】
次に、本実施形態に係る記録再生装置の動作を、図１を用いて説明する。先ずＳＤフォーマットで記録されたデータの再生系のデータフローについて説明する。図２中、実線で示されたフローがＳＤフォーマットで記録されたデータの再生系のデータフローである。メモリインタフェース部１０５では、各処理ブロックからのメインメモリ（ここでは、ＳＤＲＡＭ）アクセス要求に対して優先順位に従い調停し、音声、画像、サブコード等の各種データを上記メモリの所定位置に対して書き込み／読み出しの処理を行なう。メモリインタフェース部１０５経由で、記録再生に必要な映像音声信号処理は、ＳＤＲＡＭ１０４を介して行なわれる。
【００１４】
ＳＤフォーマットで記録されたデータは、記録再生部１０９により、記録メディア１１０から読み出され、メモリインタフェース部１０５経由でＳＤＲＡＭ１０４に記録される。その後、ＳＤＲＡＭ１０４から読み出され、圧縮伸長部１０７にて伸長され、メモリインタフェース部１０５経由でＳＤＲＡＭ１０４に記録される。その後、ＳＤＲＡＭ１０４からメモリインタフェース部１０５経由でアイソクロナスインタフェース部１０８に供給され、１３９４コントローラ１０３を介して、接続相手の記録再生装置にＳＤフォーマットにてパケットを送出する。
【００１５】
また、ＳＤフォーマット以外で記録されたデータについては、図１中、破線で示されたフローで示している。すなわち、ＳＤフォーマット以外、例えばＨＤフォーマットで記録されたデータの再生系のデータフローである。
【００１６】
この場合、記録再生部１０９により、記録メディア１１０から読み出され、メモリインタフェース部１０５経由でＳＤＲＡＭ１０４に記録される。制御部１１１は、再生されたＨＤフォーマットのデータをそのまま出力するか、ＳＤフォーマットに変換して出力するかを判別する。ＨＤフォーマットのまま出力する場合には、メモリＩ／Ｆ１０５によりメモリ１０２に記憶されたＨＤフォーマットデータを再生し、ＩＳＯＩ／Ｆ１０８より１３９４Ｉ／Ｆ１０３を介して出力する。また、ＳＤフォーマットに変換する場合、ＨＤデータをＳＤＲＡＭ１０４から読み出し、トラック（Track）フォーマッタ部１０６にて所望の符号化データに変換する。変換された該データは、コーディク１０２に供給され、ＨＤフォーマットに従って復号される。その後、ｕｐ／ｄｏｗｎコンバータ１０１にてｄｏｗｎコンバートされる。ｄｏｗｎコンバートされたデータはＳＤフォーマットのデータとして圧縮伸長部１０７に供給され、該圧縮伸長部１０７にて圧縮され、メモリインタフェース部１０５経由でＳＤＲＡＭ１０４に記録される。その後、ＳＤフォーマットで記録された際の処理と同様に、メモリインタフェース部１０５経由でアイソクロナスインタフェース部１０８に供給され、１３９４コントローラ１０３を介して、接続相手の記録再生装置にＳＤフォーマットにてパケットを送出する。
【００１７】
図２に、図１に示したデータ処理機能を有する記録再生装置を用いてダビング記録を行う接続形態を示す。２０１、２０２は記録再生装置、２０３はＩＥＥＥ１３９４インタフェースケーブルである。
【００１８】
記録再生装置２０１はＳＤ、ＨＤフォーマット対応機、２０２はＳＤフォーマット対応機である。記録再生装置２０１において、ＳＤ、ＨＤフォーマット混在テープ２０４を再生し、ＩＥＥＥ１３９４インタフェースケーブル２０３経由で記録再生装置２０２にて記録メディア２０５にダビング記録する。この場合、記録再生装置２０１はコントローラ、記録再生装置２０２はターゲットとなる。また、記録再生装置２０１は図１に示した構成を持つ。
【００１９】
まず、記録再生装置２０１から記録再生装置２０２に対し、ASYNCパケットを送出し、記録再生装置２０２のフォーマット対応情報を取得する。例えば、記録再生装置２０２は該ASYNCパケットのレスポンスとして、ＳＤフォーマット対応情報を返送する。あるいは、同一メーカーであれば、記録再生装置に実装したConfigurationＲＯＭにフォーマット対応情報を書いておき、ＩＥＥＥ１３９４インタフェースケーブル２０３で接続された際、該ConfigurationＲＯＭ情報を読み出し、接続相手の記録再生装置のフォーマット対応情報を検出してもよい。
【００２０】
以上のように記録再生装置２０１は接続相手である記録再生装置２０２のフォーマット対応情報を検出できる。記録再生装置２０１にて再生されたＳＤ、ＨＤフォーマット混在テープは、ＳＤフォーマットにて記録されたデータ部に関しては、ＩＥＥＥ１３９４インタフェースケーブル２０３経由でそのままＳＤフォーマットで記録再生装置２０２に送出する。
【００２１】
また、ＨＤフォーマットにて記録されたデータ部に関しては、前記データフローに従い、ＳＤフォーマットに変換してＩＥＥＥ１３９４インタフェースケーブル２０３経由で記録再生装置２０２に送出する。すなわち、本実施形態においては記録再生装置２０１にて再生されたＳＤ、ＨＤフォーマット混在テープは、記録再生装置２０２のフォーマット対応情報に基づいて送出され、この場合、ＳＤフォーマットの形式で記録再生装置２０２に送出される。
【００２２】
ここで、記録再生装置２０２のフォーマット対応情報に基づいて、記録再生装置２０１にてＨＤフォーマットをＳＤフォーマットに変換する場合、ＩＴＩセクタのＴＩＡ（Track Information Area）のアプリケーションＩＤの情報により、記録されているフォーマットがＳＤ、あるいはＨＤフォーマットのどちらかを検知することができ、この検知結果を用いることにより、記録されているフォーマットに対して、フォーマット変換可能となる。
【００２３】
次に記録再生装置２０１において、フォーマット変換を行う際の処理について述べる。ＳＤフォーマット、ＨＤフォーマットの両フォーマットにおいては、SyncBlockサイズが異なり、サブコード、ＡＵＸ等に対するメモリの領域が異なる。その結果、メモリにおけるデータのマッピングも画像フォーマットにより異なり、ＳＤＲＡＭ１０４に対するアクセスやそれに伴う処理手順もフォーマットに応じて処理形態も変更する必要がある。
そのため、制御部１１１は、記録再生部１０９により再生されている画像データの記録フォーマットの切り替えを検知すると、テープ１１０の搬送を一時停止し、フォーマットに応じて装置内部のデータパスを変更する。また、フォーマット切り替えを検知すると、制御部１１１は、図２に示すように記録再生装置２０１からＩＥＥＥ１３９４インタフェースケーブル２０３経由でＦＣＰ（Function Control Protcol）コマンド（１）を送出し、記録再生装置２０２の記録動作をPouse（停止）させる。そして、制御部１１１は、フォーマット変換処理が終了すると、再びテープ１１０の搬送を開始して画像データの再生を開始すると共に、再度、ＦＣＰコマンドにて記録再生装置２０２に対し、ＲＥＣ（記録）コマンド（２）を送出し、記録再生装置２０２の記録動作を再開させる。
【００２４】
こうすることにより、記録再生装置２０１の接続相手であるＳＤフォーマット対応機である記録再生装置２０２において、ＳＤフォーマットの画像データについては、そのままＳＤフォーマットで記録でき、ＨＤフォーマットの画像データについても、ＳＤフォーマットで記録でき、ＳＤフォーマットの画像データとして、ダビングが可能となる。
【００２５】
また、フォーマット変換の処理に要する時間に対するタイムラグ期間中においては、画像データを受信する接続相手の記録動作を停止させることにより、フォーマット切り替わり時の画像の乱れを記録することを回避することができる。このときの記録再生装置２０１、２０２における記録メディアにおける記録イメージは図３のようになり、ユーザはフォーマットの違いを意識することなく、ＳＤ、ＨＤフォーマット混在のテープのダビングが容易に可能となる。
【００２６】
次に、本発明の第２の実施形態について説明する。本実施形態に係る記録再生装置は第１の実施形態と同様の処理機能を有するものとする。図４に、図１に示したデータ処理機能を有する記録再生装置を用いてダビング記録を行う、本実施形態の接続形態を示す。４０１、４０２は記録再生装置、４０３はＩＥＥＥ１３９４インタフェースケーブルである。記録再生装置４０１はＳＤ、ＨＤフォーマット対応機、４０２はＳＤフォーマット対応機である。
【００２７】
記録再生装置４０１において、ＳＤ、ＨＤフォーマット混在テープ４０４を再生し、ＩＥＥＥ１３９４インタフェースケーブル４０３経由で記録再生装置４０２にて記録メディア４０５にダビング記録する。この場合、記録再生装置４０１はコントローラ、記録再生装置４０２はターゲットとなる。まず、記録再生装置４０１から記録再生装置４０２に対し、ASYNCパケットを送出し、記録再生装置４０２のフォーマット対応情報を取得する。例えば、記録再生装置４０２は該ASYNCパケットのレスポンスとして、ＳＤフォーマット対応情報を返送する。あるいは、同一メーカーであれば、記録再生装置に実装したConfigurationＲＯＭにフォーマット対応情報を書いておき、ＩＥＥＥ１３９４インタフェースケーブルで接続された際、該ConfigurationＲＯＭ情報を読み出し、接続相手の記録再生装置のフォーマット対応情報を検出してもよい。以上のように記録再生装置４０１は接続相手である記録再生装置４０２のフォーマット対応情報を検出できる。
【００２８】
記録再生装置４０１にて再生されたＳＤ、ＨＤフォーマット混在テープは、ＳＤフォーマットにて記録されたデータ部に関しては、ＩＥＥＥ１３９４インタフェースケーブル４０３経由でそのままＳＤフォーマットで記録再生装置４０２に送出する。
【００２９】
また、ＨＤフォーマットにて記録されたデータ部に関しては、前記データフローに従い、ＳＤフォーマットに変換してＩＥＥＥ１３９４インタフェースケーブル４０３経由で変換されたＳＤフォーマットで記録再生装置４０２に送出する。すなわち、本実施形態においては記録再生装置４０１にて再生されたＳＤ、ＨＤフォーマット混在テープは、記録再生装置４０２のフォーマット対応情報に基づいて送出され、この場合、ＳＤフォーマットの形式で記録再生装置４０２に送出される。
【００３０】
ここで、記録再生装置４０２のフォーマット対応情報に基づいて、記録再生装置４０１にてＨＤフォーマットをＳＤフォーマットに変換する場合、ＩＴＩセクタのＴＩＡ（Track Information Area）のアプリケーションＩＤの情報により、記録されているフォーマットがＳＤ、あるいはＨＤフォーマットのどちらかを検知することができ、この検知結果を用いることにより、記録されているフォーマットに対して、フォーマット変換可能となる。
【００３１】
次に記録再生装置４０１において、フォーマット変換を行う際の処理について述べる。
ＳＤフォーマット、ＨＤフォーマットの両フォーマットにおいては、SyncBlockサイズが異なり、サブコード、ＡＵＸ等に対するメモリの領域が異なる。その結果、メモリにおけるデータのマッピングも画像フォーマットにより、異なり、ＳＤＲＡＭ１０４に対するアクセスやそれに伴う処理手順もフォーマットに応じて処理形態も変更する必要がある。
そのため、制御部１１１は、記録再生部１０９により再生されている画像データの記録フォーマットの切り替えを検知すると、テープ１１０の搬送を一時停止し、フォーマットに応じて装置内部のデータパスを変更する。また、フォーマット切り替えを検知すると、画像データに代えて、図４に示すように記録再生装置４０１からＩＥＥＥ１３９４インタフェースケーブル経由で無害なデータ、例えば、ＮＵＬＬパケットを送出する。その後、フォーマット変換処理が終了すると、再びテープ１１０の搬送を開始して画像データの再生を開始すると共に、ＮＵＬＬデータに代えてＳＤフォーマットに変換されたデータを送出する。
【００３２】
こうすることにより、フォーマット切り替わり部分（フォーマット変換処理中）において、記録再生装置４０１の接続相手であるＳＤフォーマット対応機である記録再生装置４０２に関して、記録動作を停止させることなく、フォーマット切り替わり時に生じる画像の乱れを記録することを回避することができ、ＳＤ、ＨＤフォーマット混在のテープのダビングが容易に可能となる。
【００３３】
また、記録再生装置４０１の接続相手であるＳＤフォーマット対応機である記録再生装置４０２側で、ＮＵＬＬデータ等を受信している期間中、記録動作を停止させてもよい。この場合においてもフォーマット切り替わり時に生じる画像の乱れを記録することを回避することができる。また、ＮＵＬＬデータ以外にも黒データ等、記録再生装置４０２側のデータ記録動作に無害なデータであれば適用するデータに制限はない。
【００３４】
このときの記録再生装置２０１、２０２における記録メディアにおける記録イメージは図５のようになり、ユーザはフォーマットの違いを意識することなく、ＳＤ、ＨＤフォーマット混在のテープのダビングが容易に可能となる。なお、第１、第２の実施形態においては、テープ１１０より再生されている画像データの記録フォーマットの切り替えを検知すると、テープの搬送を一時停止してシステムを変更していたが、これに限らず、テープの搬送を続けたままシステムを変更してもよい。
【００３５】
また、本発明の目的は、前述した実施形態の機能を実現するソフトウェアのプログラムコードを記録した記憶媒体を、システム或いは装置に供給し、そのシステム或いは装置のコンピュータ（またはＣＰＵやＭＰＵ）が記憶媒体に格納されたプログラムコードを読み出し実行することによっても、達成されることは言うまでもない。
【００３６】
この場合、記憶媒体から読み出されたプログラムコード自体が前述した実施形態の機能を実現することになり、プログラムコード自体及びそのプログラムコードを記憶した記憶媒体は本発明を構成することになる。
【００３７】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ等を用いることができる。
【００３８】
また、コンピュータが読み出したプログラムコードを実行することにより、前述した実施形態の機能が実現されるだけでなく、そのプログラムコードの指示に基づき、コンピュータ上で稼動しているＯＳ(基本システム或いはオペレーティングシステム)などが実際の処理の一部又は全部を行い、その処理によって前述した実施形態の機能が実現される場合も含まれることは言うまでもない。
【００３９】
さらに、記憶媒体から読み出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵ等が実際の処理の一部又は全部を行い、その処理によって前述した実施形態の機能が実現される場合も含まれることは言うまでもない。
【図面の簡単な説明】
【００４０】
【図１】本発明の第１及び第２の実施形態に係る記録再生装置の構成を示すブロック図である。
【図２】本発明の第１の実施形態における記録再生装置の接続形態を示す図である。
【図３】本発明の第１の実施形態における記録メディアの記録状態を模式的に示す図である。
【図４】本発明の第２の実施形態における記録再生装置の接続形態を示す図である。
【図５】本発明の第２の実施形態における記録メディアの記録状態を模式的に示す図である。
【符号の説明】
【００４１】
１０１  ＵＰ／Ｄｏｗｎコンバータ
１０２  コーディック
１０３  １３９４コントローラ
１０４  ＳＤＲＡＭ
１０５  メモリインタフェース部
１０６  トラックフォーマッタ部
１０７  圧縮伸張部
１０８  アイソクロナスインタフェース部
１０９  記録再生部
１１０、２０５、４０５  記録メディア
２０１、２０２、４０１、４０２  記録再生装置
２０３、４０３  ＩＥＥＥ１３９４インタフェースケーブル
２０４、４０４  ＳＤ、ＨＤフォーマット混在テープ
【図１】
2007049459.tif 000003
【図２】
2007049459.tif 000004
【図３】
2007049459.tif 000005
【図４】
2007049459.tif 000006
【図５】
2007049459.tif 000007